(57)【要約】【課題】クリップを摘んで開く際に、クリップの反対側にある摺動溝から突出した摺動体の突出部に指が当たっても、指が痛くなることのないクリップ付のスライド式筆記具を提供することを目的とする。【解決手段】軸筒の外周面上の摺動溝から突出した摺動体の突出部を前進させることにより、軸筒内部に収容した筆記体の筆記先端を該軸筒の先端開口部から突出させるスライド式の繰出機構と、クリップの押圧部を軸筒側へ押圧することにより、クリップを弾発する弾発部材を弾性変形させてクリップの先端部を開くクリップ機構とを有するクリップ付のスライド式筆記具に関し、クリップの反対側にある摺動体の突出部の外側表面が、クリップの押圧部に対して略平行な平面部であることを特徴としたクリップ付のスライド式筆記具。【選択図】図５
2008188966.tif 000002
【特許請求の範囲】
【請求項１】
後部に摺動体が連結され弾性体により後方へ弾発された筆記体を軸筒の内部に収容し、前記軸筒の外周面上に形成した摺動溝へ前記摺動体に形成した突出部を前後動可能に挿通し、前記摺動溝から突出した前記摺動体の突出部を前進させることにより、当該摺動体が連結された筆記体の筆記先端を前記軸筒の先端開口部から突出させるスライド式の繰出機構を有し、且つ前記軸筒の外周面上で前記摺動溝の反対側となるよう該軸筒の側面に設けた支持部に、弾発部材により先端部が前記軸筒側へ常時弾発されるクリップの中間部を支承させ、前記クリップにおける該クリップが支承された支持部より後方となる押圧部を前記軸筒側へ押圧することにより、前記弾発部材を弾性変形させて当該クリップの先端部を開く構造のクリップ機構を有するクリップ付のスライド式筆記具において、前記クリップの反対側にある前記摺動体の突出部の外側表面が、前記クリップの押圧部に対して略平行な平面部であることを特徴としたクリップ付のスライド式筆記具。
【請求項２】
前記突出部の外側表面が、前記クリップの先端部が最も開いた状態における該クリップの押圧部に対して略平行な平面であることを特徴とした請求項１に記載のクリップ付のスライド式筆記具。
【請求項３】
前記筆記具が、後部に摺動体が連結され弾性体により後方へ弾発された３つの筆記体を軸筒の内部に収容し、前記軸筒の外周面上に該軸筒の軸心に対して９０度毎に配置するよう形成した３つの摺動溝へ前記摺動体に形成した突出部を前後動可能に挿通し、前記３つの摺動溝から突出した摺動体の突出部のいずれかを前進させることにより、当該摺動体が連結された筆記体の筆記先端を前記軸筒の先端開口部から突出させるスライド式の繰出機構を有し、且つ前記軸筒の外周面上で該軸心に対して前記３つの摺動溝と９０度または１８０度の関係となるよう該軸筒の側面に設けた支持部に、弾発部材により先端部が前記軸筒側へ常時弾発されるクリップの中間部を支承させ、前記クリップにおける該クリップが支承された支持部より後方となる押圧部を前記軸筒側へ押圧することにより、前記弾発部材を弾性変形させて当該クリップの先端部を開く構造のクリップ機構を有する筆記具であることを特徴とした請求項１または２に記載のクリップ付のスライド式筆記具。
【発明の詳細な説明】
【技術分野】
【０００１】
本発明は、軸筒の外周面上の摺動溝から突出した摺動体の突出部を前進させることにより、軸筒内部に収容した筆記体の筆記先端を該軸筒の先端開口部から突出させるスライド式の繰出機構と、クリップの押圧部を軸筒側へ押圧することにより、クリップを弾発する弾発部材を弾性変形させてクリップの先端部を開くクリップ機構とを有するクリップ付のスライド式筆記具に関する。
【背景技術】
【０００２】
従来より、軸筒の外周面上の摺動溝から突出した摺動体の突出部を前進させて、軸筒の先端開口部から筆記先端を突出させるスライド式の繰出機構はよく知られている（例えば、特許文献１参照）。また、筆記具に設けるクリップの挟持力や耐用強度を向上させるために、コイルバネや板バネ等の弾発力をクリップの挟持構造に取り入れたクリップ機構もよく知られている。さらに最近では、上述の繰出機構とクリップ機構とを組み合わせた筆記具も存在しており、特に軸筒内に複数の筆記体を収容して、それぞれの筆記体に対応する摺動体の突出部を前進させることで、色違いのボールペンを突出させたり、ボールペンとシャープペンシルとを使い分けたりすることができるクリップ付の複合筆記具が好まれている。
【特許文献１】「特開２００１−１１３８８３号公報」
【発明の開示】
【発明が解決しようとする課題】
【０００３】
図１０は前述した従来のクリップ機構を有するクリップ付のスライド式筆記具である。筆記具１１は、黒，青，赤の筆記体（図示せず）を軸筒１２内に収容しており、黒の筆記体を突出させる黒色の摺動体１８ａと、青の筆記体を突出させる青色の摺動体１８ｂと、赤の筆記体を突出させる赤色の摺動体（図示せず）とを、軸筒１２の後部に形成した黒用の摺動溝１７ａ，青用の摺動溝１７ｂ，赤用の摺動溝（図示せず）にそれぞれ配している。また青色の摺動体１８ｂの反対側となる軸筒１２の側面には支持部１４ａを形成してあり、この支持部１４ａに設けた支軸１４ｂをクリップ１５の側面版１５ｂに形成した丸孔１５ｃに支承し、コイルバネ１６によりクリップ１５の後方部を軸筒１２から離間する方向へ弾発することで、クリップ１５の先端部を軸筒１２側へ弾発している。尚、図７に示す状態の筆記具１１は、各筆記体を軸筒１２内に没入した状態であるため、クリップ１５により胸ポケット等の被挟着物１００へ筆記具１１を挟持させることができる状態だが、青色の摺動体１８ｂに形成した突出部１８１ｂの位置が、クリップ１５を摘んで開くための押圧部１５ｅと軸対称の位置関係にあることから、押圧部１５ｅを摘む際にそれを支える反対側の指に突出部１８１ｂが当たることで、指が痛くなることがあった。
【０００４】
本発明はこうした問題を鑑みて、クリップを摘んで開く際に、クリップの反対側にある摺動溝から突出した摺動体の突出部に指が当たっても、指が痛くなることのないクリップ付のスライド式筆記具を提供することを目的とする。
【課題を解決するための手段】
【０００５】
本発明は、
「１．後部に摺動体が連結され弾性体により後方へ弾発された筆記体を軸筒の内部に収容し、前記軸筒の外周面上に形成した摺動溝へ前記摺動体に形成した突出部を前後動可能に挿通し、前記摺動溝から突出した前記摺動体の突出部を前進させることにより、当該摺動体が連結された筆記体の筆記先端を前記軸筒の先端開口部から突出させるスライド式の繰出機構を有し、且つ前記軸筒の外周面上で前記摺動溝の反対側となるよう該軸筒の側面に設けた支持部に、弾発部材により先端部が前記軸筒側へ常時弾発されるクリップの中間部を支承させ、前記クリップにおける該クリップが支承された支持部より後方となる押圧部を前記軸筒側へ押圧することにより、前記弾発部材を弾性変形させて当該クリップの先端部を開く構造のクリップ機構を有するクリップ付のスライド式筆記具において、
前記クリップの反対側にある前記摺動体の突出部の外側表面が、前記クリップの押圧部に対して略平行な平面部であることを特徴としたクリップ付のスライド式筆記具。
２．前記突出部の外側表面が、前記クリップの先端部が最も開いた状態における該クリップの押圧部に対して略平行な平面であることを特徴とした１項に記載のクリップ付のスライド式筆記具。
３．前記筆記具が、後部に摺動体が連結され弾性体により後方へ弾発された３つの筆記体を軸筒の内部に収容し、前記軸筒の外周面上に該軸筒の軸心に対して９０度毎に配置するよう形成した３つの摺動溝へ前記摺動体に形成した突出部を前後動可能に挿通し、前記３つの摺動溝から突出した摺動体の突出部のいずれかを前進させることにより、当該摺動体が連結された筆記体の筆記先端を前記軸筒の先端開口部から突出させるスライド式の繰出機構を有し、且つ前記軸筒の外周面上で該軸心に対して前記３つの摺動溝と９０度または１８０度の関係となるよう該軸筒の側面に設けた支持部に、弾発部材により先端部が前記軸筒側へ常時弾発されるクリップの中間部を支承させ、前記クリップにおける該クリップが支承された支持部より後方となる押圧部を前記軸筒側へ押圧することにより、前記弾発部材を弾性変形させて当該クリップの先端部を開く構造のクリップ機構を有する筆記具であることを特徴とした１項または２項に記載のクリップ付のスライド式筆記具。」である。
【０００６】
本発明において摺動体の突出部の外側表面とは、軸筒の軸心に直交する方向における最外部の外側面であり、その平面の状態は、全くの平滑な面でなくとも、滑り止めとなる複数の微小な突起や溝などを設けてもよい。また、クリップは支持部を支点に角度変化が行われるので、クリップを弾発する弾発部材の弾発力が最も働くクリップの先端が最も開いた状態におけるクリップの押圧部の傾斜角度に対して、摺動体の突出部の平面部が略平行となるようにすることで、クリップの押圧部と摺動体とに力を掛けて摘んでいる指が滑ってしまうことを防ぐことができる。尚、突出部の平面部の面積が大きいほど、クリップを開く際に突出部に触れる指への負担を軽減できる。但し、突出部の横幅を広げすぎると軸筒の幅からはみ出て、筆記具を胸ポケットに装着する際に邪魔になるので、横幅は軸筒の最外形寸法以下とすることが好ましい。
【発明の効果】
【０００７】
本発明によるクリップ付のスライド式筆記具は上述した構成であるため、クリップを摘んで開く際に、クリップの反対側にある摺動溝から突出した摺動体の突出部に指が当たっても、突出部の外側表面が平面であることから、指が痛くなることがない。
【発明を実施するための最良の形態】
【０００８】
次に図面を参照しながら、本発明のクリップ付のスライド式筆記具の実施例を説明するが、本発明は以下の実施例に限定されるものではない。また図中の同じ部材、同じ部品については、同じ符号としてある。本実施例では、筆記先端がある側を前方とし反対側を後方として表現する。
【０００９】
図１は本発明の実施例であるクリップ付のスライド式複合筆記具であり、図２は図１の右側面図であり、図３は図１の平面図である。図４は図１の要部拡大図であり、図５は要部斜視図である。筆記具１は、軸筒２を前軸３と後軸４とで構成し、後軸４の側面に形成した支持部４ａにクリップ５を装着してある。クリップ５は、表面板５ａと該表面板５ａから軸筒２側へ向かって垂設した側面板５ｂとを有し、側面板５ｂに形成した丸孔５ｃを支持部４ａに設けた支軸４ｂに支承させると共に、後軸４の後部に設けた平地部４ｃとクリップ５の表面板５ａの裏面との間に弾性部材であるコイルバネ６を配設し、クリップ５の先端部５ｄ側を後軸４側に常時弾発している。本実施例の筆記具１は、軸筒２の内部に３本のボールペン体（図示せず）を収容してあり、後軸４の側面に形成した３つの摺動溝７ａ，７ｂ，７ｃに配した摺動体８ａ，８ｂ，８ｃのいずれかを前進させることで、それに対応する筆記体を前記前軸３の先端に設けた開口部３ａより突出可能としてある。尚、各摺動体には、突出部８１ａ，８１ｂ，８１ｃを設けて前記各摺動溝から外方に突出させており、摺動体を指で前進させやすくしてある。本実施例では、摺動体８ａを黒色、摺動体８ｂを青色、摺動体８ｃを赤色とし、それぞれの色に対応するインキ色を有するボールペン体（図示せず）を軸筒２内で各摺動体に連結してある。
【００１０】
また、図３に示すように本実施例では、後軸４の外周面上に形成した摺動溝７ａ，７ｂ，７ｃ及びクリップ５の支持部４ａの関係を、軸心に対して支持部４ａを０度とした時に、摺動溝７ａを９０度、摺動溝７ｂを１８０度、摺動溝７ｃを２７０度としてある。また、図４に示すようにクリップ５は、クリップ５を支承した支軸４ｂより後方（図中Ｌの区間）を押圧部５ｅとしてあり、この押圧部５ｅを後軸４側へ押圧することにより、コイルバネ６を圧縮してクリップ５の先端部５ｄ側を開いて、図６に示すように被挟着物１００を挟持することができる。
【００１１】
次に筆記体の繰出機構を簡単に説明する。図７は本実施例のクリップ付のスライド式複合筆記具の断面図で、図８はボールペン体の先端を軸筒から突出させた状態の断面図である。図７に示すように、青色の摺動体８ｂの前方には青色のインキを備えたボールペン体９ｂを連結してあり、図８に示すように、摺動体８ｂの突出部８１ｂを前進させることで、摺動体８ｂの前方に配設したコイルバネ１０を圧縮しながら筆記先端９１ｂを前軸３の開口部３ａより突出させ、後軸４内に形成したリブ４ｄに摺動体８ｂの後端部を係止して、筆記先端９１ｂの突出状態を維持することができる構造である。図示はしないが、軸筒２の内部に収容してある他の２本の筆記体（黒のインキ，赤のインキ）も同様に、目的とする色の摺動体を選択して前進させることにより、前軸３の開口部３ａから筆記先端を突出させることができる。
【００１２】
図９は、実際に指でクリップを摘んで開いた状態の要部拡大断面図である。図９の状態では、コイルバネ６が最も縮んだ状態であり、つまりクリップ５の先端部５ｄが最も開いた状態である。この時、クリップ５の押圧部５ｅを押圧する指の力は最大であり、反対側の突出部８１ｂを支える指への負担も最大となるが、本実施例では突出部８１ｂの外側表面を平面としてあるため、突出部８１ｂに当接している指が痛くなることはなかった。また、図に示すように、クリップ５が最も開いた状態で押圧部５ｅと突出部８１ｂの外側表面とが略平行であるため、力を掛けている指が滑ることがなかった。
【産業上の利用可能性】
【００１３】
本願発明によるクリップ付のスライド式筆記具は、軸筒の内部にボールペン体を収容する以外にも、シャープペンシル体、あるいは電子機器に入力を行うための入力ペン等を収容して、使用することも可能である。
【図面の簡単な説明】
【００１４】
【図１】本発明の実施例であるクリップ付のスライド式複合筆記具である。
【図２】図１の右側面図である。
【図３】図１の平面図である。
【図４】図１の要部拡大図である。
【図５】図５は要部斜視図である。
【図６】被挟着物を挟持した状態の図である。
【図７】本実施例のクリップ付のスライド式複合筆記具の断面図である。
【図８】ボールペン体の先端を軸筒から突出させた状態の断面図である。
【図９】実際に指でクリップを摘んで開いた状態の要部拡大断面図である。
【図１０】従来のクリップ機構を有するクリップ付のスライド式複合筆記具である。
【符号の説明】
【００１５】
１…筆記具、２…軸筒、３…前軸、３ａ…開口部、
４…後軸、４ａ…支持部、４ｂ…支軸、４ｃ…平地部、４ｄ…リブ、
５…クリップ、５ａ…表面板、５ｂ…側面板、５ｃ…丸孔、５ｄ…先端部、
５ｅ…押圧部、
６…コイルバネ、
７ａ，７ｂ，７ｃ…摺動溝、
８ａ，８ｂ，８ｃ…摺動体、８１ａ，８１ｂ，８１ｃ…突出部、
９ｂ…ボールペン体、９１ｂ…筆記先端、
１０…コイルバネ。
【図１】
2008188966.tif 000003
【図２】
2008188966.tif 000004
【図３】
2008188966.tif 000005
【図４】
2008188966.tif 000006
【図５】
2008188966.tif 000007
【図６】
2008188966.tif 000008
【図７】
2008188966.tif 000009
【図８】
2008188966.tif 000010
【図９】
2008188966.tif 000011
【図１０】
2008188966.tif 000012